(57)【要約】【課題】ロー材による詰まりを防止することができる分配装置を提供すること。【解決手段】本発明は、流入部および複数の流出部を有する分配装置と、流出部に接続される流出管６と、流入部に接続される流入管２と、流入部３と流出部４とを空間的に繋ぐ流出孔８ａの周囲の下流側へ立設する円筒状の凸部８とを備え、流出部へ流出管が挿入可能に構成されるとともに、流出部４へ流出管６を挿入した際に、凸部８が流入管２の内部に位置する構成とする。【選択図】図１
2012225542.tif 000002
【特許請求の範囲】
【請求項１】
流入部および複数の流出部を有する分配装置と、前記流出部に接続される流出管と、前記流入部に接続される流入管と、前記流入部と前記流出部とを空間的に繋ぐ流出孔の周囲の下流側へ立設する円筒状の凸部とを備え、前記流出部へ前記流出管が挿入可能に構成されるとともに、前記流出部へ前記流出管を挿入した際に、前記凸部が前記流入管の内部に位置する構成とすることを特徴とする分配装置。
【請求項２】
前記凸部の外径と前記流入管の内径とが略同一であることを特徴とする請求項１に記載の分配装置。
【請求項３】
流入部および複数の流出部を有する分配装置と、前記流出部に接続される流出管と、前記流入部に接続される流入管と、前記流出部は所定の長さを有しており、前記流入管の肉盛部を設け、前記流入管の端部から前記肉盛部までの長さは、前記流出部の所定の長さよりも長くすることを特徴とする分配装置。
【発明の詳細な説明】
【技術分野】
【０００１】
本発明は、冷凍サイクルを構成する熱交換器の伝熱管に冷媒を複数の回路に分配するために設けられた分配装置に関する。
【背景技術】
【０００２】
従来、一般的に空気調和機などに用いられる冷凍サイクルは、上流側から流入した冷媒を分配器と分岐配管を介して複数の伝熱管で構成された熱交換器に流通させて、周囲の空気と熱交換させている（例えば、特許文献１参照）。
【０００３】
図５は従来の分配装置の断面図、図６は要部断面図を示すものである。図５、図６に示すように、従来からの分配装置は、上流側１から流入管２を通して移送されてくる冷媒を分配して複数の下流側流路に流下させる複数の流出管６を有しており、ロー材７で溶接固定されている。
【先行技術文献】
【特許文献】
【０００４】
【特許文献１】特開２０１０−１９０５２３号公報
【発明の概要】
【発明が解決しようとする課題】
【０００５】
しかしながら、前記従来の構成は、冷媒分岐管を分配器本体に溶接固定するとき、冷媒分岐管と分配器本体の隙間からロー材７が流れ込み、冷媒分岐管の入口に流れ込んできたロー材が完全に詰まり冷媒が流れなくなる現象が発生してしまい、空気調和機の性能に大きな影響を及ぼしてしまうという課題を有していた。
【０００６】
本発明は、前記従来の課題を解決するもので、ロー材による詰まりを防止することができる分配装置を提供することを目的とする。
【課題を解決するための手段】
【０００７】
前記従来の課題を解決するために本発明は、流入部および複数の流出部を有する分配装置と、流出部に接続される流出管と、流入部に接続される流入管と、流入部と流出部とを空間的に繋ぐ孔の周囲の下流側へ立設する円筒状の凸部とを備え、流出部へ流出管が挿入可能に構成されるとともに、流出部へ流出管を挿入した際に、凸部が流入管の内部に位置する構成とすることにより、流出部でのロー材の溜まりを防止することができ、安定した冷媒流路を確保することができる。
【発明の効果】
【０００８】
本発明は、ロー材による詰まりを防止することができる分配装置を提供することができる。
【図面の簡単な説明】
【０００９】
【図１】本発明の実施の形態１における分配装置の断面図
【図２】同実施の形態１における分配装置の要部断面図
【図３】本発明の実施の形態２における分配装置の断面図
【図４】同実施の形態１における分配装置の要部断面図
【図５】従来の分配装置の断面図
【図６】従来の分配装置の要部断面図
【発明を実施するための形態】
【００１０】
第１の発明の分配装置は、流入部および複数の流出部を有する分配本体と、流出部に接続される流出管と、流入部に接続される流入管と、流入部と流出部とを空間的に繋ぐ流出孔の周囲の下流側へ立設する円筒状の凸部とを備え、流出部へ流出管が挿入可能に構成されるとともに、流出部へ流入管を挿入した際に、凸部が流入管の内部に位置する構成とすることにより、流出部でのロー材の溜まりを防止することができ、安定した冷媒流路を確保することができる。
【００１１】
第２の発明の分配装置は、凸部の外径と流入管の内径とが略同一であることにより、確実にロー材の溜まりを防止することができる。
【００１２】
第３の発明の分配装置は、流入部および複数の流出部を有する分配装置と、流出部に接続される流出管と、流入部に接続される流入管と、流出部は所定の長さを有しており、流入管の肉盛部を設け、流入管の端部から肉盛部までの長さは、流出部の所定の長さよりも長くすることにより、流出部でのロー材の溜まりを防止することができ、安定した冷媒流路を確保することができる。
【００１３】
以下、本発明の実施の形態について、図面を参照しながら説明する。なお、この実施の形態によって本発明が限定されるものではない。
【００１４】
（実施の形態１）
図１は本発明の実施の形態１における分配装置の断面図、図２は要部断面図である。以下、図１および図２を用いて分配装置の構成について説明する。
【００１５】
本実施の形態における分配装置は、流入部３および複数の流出部４を有している分配本体５と、流入部３には流入管２が挿入されており、流出部４には流出管６が挿入されている。なお、流出管６は複数設けられているが、以下では、一つの流出管について説明する。また、複数の流出管は、流入管の軸心を中心として仮想円上に配列され、放射状に拡がって流出するように接続されている。
【００１６】
また、流入部３から流出部４を繋ぐ流出孔８ａを設けており、流出孔８ａの周囲を下流側へ立設する円筒状の凸部８を備えている。そして、流出管６を流出部４へ挿入する際には、図２に示すように、凸部８が流出管６の内側に挿入される。
【００１７】
そして、その後、流出管６と流出部４との間をロー材７によって溶接することによって、流出部４へ流出管６が接続される。
【００１８】
また、凸部８の外径と流出管６の内径とが略同一であることにより、確実に流出管６の端部と凸部８とを嵌め合わせることができるため、ロー材７の溜まりを防止することができる。
【００１９】
以上のような構成とすることによって、ロー材７が流出孔８ａを防ぐことがなく、安定した冷媒流路を確保することができる。
【００２０】
（実施の形態２）
図３は本発明の実施の形態２における分配装置の断面図、図４は要部断面図である。以下、図３および図４を用いて分配装置の構成について説明する。なお、実施の形態１と同じ部位については、実施の形態１と同じ符号を付して説明を省略する。
【００２１】
本実施の形態における分配装置は、流出部４は所定の長さＢを有しており、さらに流出管６は外側に凸となる肉盛部９を有している。そして流出管６の端部から肉盛部９までの長さＡは、所定の長さＢよりも長い構成となっている。
【００２２】
このように構成することによって、流出部４へ流出管６を挿入したときに、流出管６の端部が、分配本体５の内側へ入る構成となるため、ロー材７で溶接した際であっても、流路を防ぐことがなくなり、安定した冷媒流路を得ることができる。
【産業上の利用可能性】
【００２３】
以上のように、本発明の分配器は、冷媒分岐管を分配器本体に溶接固定するとき冷媒分岐管と分配器本体の隙間からロ−材が流れ込みを防止し、安定した冷媒流通を確保できる。
【符号の説明】
【００２４】
３  流入部
４  流出部
５  分配本体
６  流出管
８  凸部
８ａ  流出孔
９  肉盛部
【図１】
2012225542.tif 000003
【図２】
2012225542.tif 000004
【図３】
2012225542.tif 000005
【図４】
2012225542.tif 000006
【図５】
2012225542.tif 000007
【図６】
2012225542.tif 000008